【手続補正書】
【提出日】令和1年12月12日(2019.12.12)
【手続補正１】
【補正対象書類名】特許請求の範囲
【補正対象項目名】全文
【補正方法】変更
【補正の内容】
【特許請求の範囲】
【請求項１】
データ情報処理方法において、前記方法が、データ記憶システムと、前記データ記憶システムに前もって配置された、組織に対応する記憶空間と、を用い、前記記憶空間が、第１の記憶区画及び第２の記憶区画を含み、前記方法が、
データ処理要求が受信された場合に、データ処理要求タイプと、前記データ処理要求を送信するプロジェクトが位置する前記記憶区画と、前記データ処理要求に対応する対象データ情報の前記記憶区画と、を決定することと、
前記記憶区画及び前記タイプと一致する処理戦略を取得することであって、前記処理戦略が、前記データ記憶システムにおいて事前設定されることと、
前記処理戦略及び前記データ処理要求に従って、前記対象データ情報を処理することと、
を含むことを特徴とする方法。
【請求項２】
前記データ処理要求が、前記タイプが許可要求である場合に、前記プロジェクトが前記対象データ情報にアクセスできるようにするために、前記対象データ情報を前記プロジェクトに許可するために用いられ、前記プロジェクトが前記組織に属し、
前記データ処理要求が、前記タイプが変更要求である場合に、対象属性情報を担持し、前記データ処理要求が、前記対象データ情報の属性情報を前記対象属性情報に変更するために用いられ、
前記データ処理要求が、前記タイプが提示要求である場合に、データプラットホーム上に前記対象データ情報を提示するために用いられる、請求項１に記載の方法。
【請求項３】
前記処理戦略が、特に、
前記データ処理要求が、提示要求又は変更要求である場合で、前記対象データ情報の前記記憶区画が、前記第１の記憶区画である場合に、前記データ処理要求の実行を許可すること、
前記データ処理要求が、許可要求であり、前記対象データ情報の前記記憶区画が、前記第１の記憶区画である場合で、前記プロジェクトが位置する前記記憶区画が、前記記憶空間に属する場合に、前記データ処理要求の実行を許可すること、
前記データ処理要求が、許可要求であり、前記対象データ情報の前記記憶区画が、前記第２の記憶区画である場合で、前記プロジェクトが位置する前記記憶区画が、前記第２の記憶区画に属する場合に、前記データ処理要求の実行を許可すること、並びに
前記記憶区画及び前記タイプと一致する処理戦略が存在しない場合に、前記データ処理要求を拒絶し廃棄すること、
である、請求項２に記載の方法。
【請求項４】
前記処理戦略及び前記データ処理要求に従って前記対象データ情報を処理することが、特に、
前記処理戦略に従って、前記データ処理要求の実行を許可することが決定された場合に、前記データ処理要求が実行された後で、前記対象データ情報の現在の記憶区画において、前記元の記憶区画における前記対象データ情報のビューと同一のビューを確立すること、及び
前記処理戦略に従って、前記データ処理要求の実行を拒絶することが決定された場合に、前記現在の記憶区画における前記対象データ情報の前記ビューを維持すること、
である、請求項３に記載の方法。
【請求項５】
新しいデータが受信された場合に、アップロードされた前記新しいデータを前記第１の記憶区画にインポートすることを更に含む、請求項１に記載の方法。
【請求項６】
データ記憶システムにおいて、前記データ記憶システムが、組織に対応する記憶空間が配置されるデータ記憶システムであり、前記記憶空間が、第１の記憶区画及び第２の記憶区画を含み、前記システムが、
データ処理要求が受信された場合に、データ処理要求タイプと、前記データ処理要求を送信するプロジェクトが位置する前記記憶区画と、前記データ処理要求に対応する対象データ情報の前記記憶区画と、を取得するように構成された第１の取得モジュールと、
前記記憶区画及び前記タイプと一致する処理戦略を取得するように構成された第２の取得モジュールであって、前記処理戦略が前記データ記憶システムにおいて事前設定される、第２の取得モジュールと、
前記処理戦略及び前記データ処理要求に従って前記対象データ情報を処理するように構成された処理モジュールと、
を含むことを特徴とするデータ記憶システム。
【請求項７】
前記データ処理要求が、前記データ処理要求タイプが許可要求である場合に、前記プロジェクトが前記対象データ情報にアクセスできるようにするために、前記対象データ情報を前記プロジェクトに許可するために用いられ、前記プロジェクトが前記組織に属することと、
前記データ処理要求が、前記データ処理要求タイプが変更要求である場合に、対象属性情報を担持し、前記データ処理要求が、前記対象データ情報の属性情報を前記対象属性情報に変更するために用いられることと、
前記データ処理要求が、前記データ処理要求タイプが提示要求である場合に、データプラットホーム上に前記対象データ情報を提示するために用いられることと、
を更に含む、請求項６に記載のシステム。
【請求項８】
前記処理戦略が、特に、
前記データ処理要求が、提示要求又は変更要求である場合で、前記対象データ情報の前記記憶区画が、前記第１の記憶区画である場合に、前記データ処理要求の実行を許可すること、
前記データ処理要求が、許可要求であり、前記対象データ情報の前記記憶区画が、前記第１の記憶区画である場合で、前記プロジェクトが位置する前記記憶区画が、前記記憶空間に属する場合に、前記データ処理要求の実行を許可すること、及び
前記データ処理要求が、許可要求であり、前記対象データ情報の前記記憶区画が、前記第２の記憶区画である場合で、前記プロジェクトが位置する前記記憶区画が、前記第２の記憶区画に属する場合に、前記データ処理要求の実行を許可すること、
である、請求項７に記載のシステム。
【請求項９】
前記処理モジュールが、前記記憶区画及び前記タイプと一致する処理戦略が存在しない場合に、前記データ処理要求を拒絶し廃棄するように更に構成される、請求項８に記載のシステム。
【請求項１０】
新しいデータが受信された場合に、アップロードされた前記新しいデータを前記第１の記憶区画にインポートするように構成されたインポートモジュールを更に含む、請求項６に記載のシステム。
【請求項１１】
命令のセットを格納する非一時的コンピュータ可読媒体であって、前記命令のセットは、コンピュータにデータ情報処理方法を実行させるために、前記コンピュータの少なくとも１つのプロセッサによって実行可能であり、前記方法が、データ記憶システムと、前記データ記憶システムに前もって配置された、組織に対応する記憶空間と、を用い、前記記憶空間が、第１の記憶区画及び第２の記憶区画を含み、前記方法が、
データ処理要求が受信された場合に、データ処理要求タイプと、前記データ処理要求を送信するプロジェクトが位置する前記記憶区画と、前記データ処理要求に対応する対象データ情報の前記記憶区画と、を決定することと、
前記記憶区画及び前記タイプと一致する処理戦略を取得することであって、前記処理戦略が、前記データ記憶システムにおいて事前設定されることと、
前記処理戦略及び前記データ処理要求に従って、前記対象データ情報を処理することと、
を含むことを特徴とする、非一時的コンピュータ可読媒体。
【請求項１２】
前記データ処理要求が、前記タイプが許可要求である場合に、前記プロジェクトが前記対象データ情報にアクセスできるようにするために、前記対象データ情報を前記プロジェクトに許可するために用いられ、前記プロジェクトが前記組織に属し、
前記データ処理要求が、前記タイプが変更要求である場合に、対象属性情報を担持し、前記データ処理要求が、前記対象データ情報の属性情報を前記対象属性情報に変更するために用いられ、
前記データ処理要求が、前記タイプが提示要求である場合に、データプラットホーム上に前記対象データ情報を提示するために用いられる、請求項１１に記載の非一時的コンピュータ可読媒体。
【請求項１３】
前記処理戦略が、特に、
前記データ処理要求が、提示要求又は変更要求である場合で、前記対象データ情報の前記記憶区画が、前記第１の記憶区画である場合に、前記データ処理要求の実行を許可すること、
前記データ処理要求が、許可要求であり、前記対象データ情報の前記記憶区画が、前記第１の記憶区画である場合で、前記プロジェクトが位置する前記記憶区画が、前記記憶空間に属する場合に、前記データ処理要求の実行を許可すること、
前記データ処理要求が、許可要求であり、前記対象データ情報の前記記憶区画が、前記第２の記憶区画である場合で、前記プロジェクトが位置する前記記憶区画が、前記第２の記憶区画に属する場合に、前記データ処理要求の実行を許可すること、並びに
前記記憶区画及び前記タイプと一致する処理戦略が存在しない場合に、前記データ処理要求を拒絶し廃棄すること、
である、請求項１２に記載の非一時的コンピュータ可読媒体。
【請求項１４】
前記処理戦略及び前記データ処理要求に従って前記対象データ情報を処理することが、特に、
前記処理戦略に従って、前記データ処理要求の実行を許可することが決定された場合に、前記データ処理要求が実行された後で、前記対象データ情報の現在の記憶区画において、前記元の記憶区画における前記対象データ情報のビューと同一のビューを確立すること、及び
前記処理戦略に従って、前記データ処理要求の実行を拒絶することが決定された場合に、前記現在の記憶区画における前記対象データ情報の前記ビューを維持すること、
である、請求項１３に記載の非一時的コンピュータ可読媒体。
【請求項１５】
前記命令のセットが、前記コンピュータに、
新しいデータが受信された場合に、アップロードされた前記新しいデータを前記第１の記憶区画にインポートすること
を更に実行させるために、前記コンピュータの前記少なくとも１つのプロセッサによって実行可能である、請求項１１に記載の非一時的コンピュータ可読媒体。